(57)【特許請求の範囲】
【請求項１】
内燃機関の動弁機構に潤滑油を供給する油供給装置であって、
潤滑油を貯蔵する供給源と、
前記動弁機構に潤滑油を滴下する滴下部と、
前記供給源から吸い上げた潤滑油を前記滴下部に供給するオイルポンプと、
前記オイルポンプを介した前記滴下部への潤滑油の供給油量を制御する制御装置と、を備え、
前記制御装置は、
前記動弁機構の動作によって生じる飛沫油量が前記動弁機構の潤滑に必要な油量以上である場合、前記オイルポンプを介した前記滴下部への潤滑油の供給を停止し、
前記飛沫油量が前記動弁機構の潤滑に必要な油量未満である場合、前記供給油量および前記飛沫油量の合計量と、前記動弁機構の潤滑に必要な油量とが等しくなるように、前記供給油量を制御する、内燃機関の油供給装置。
【請求項２】
内燃機関の動弁機構に潤滑油を供給する油供給装置であって、
潤滑油を貯蔵する供給源と、
前記動弁機構に潤滑油を滴下する滴下部と、
前記供給源から吸い上げた潤滑油を前記滴下部に供給するオイルポンプと、
前記オイルポンプを介した前記滴下部への潤滑油の供給油量を制御する制御装置と、を備え、
前記制御装置は、
前記動弁機構の動作によって生じる飛沫油量を算出し、
前記飛沫油量が前記動弁機構の潤滑に必要な油量以上である場合、前記オイルポンプを介した前記滴下部への潤滑油の供給を停止する、内燃機関の油供給装置。
【請求項３】
前記オイルポンプと前記滴下部とを接続するとともに前記オイルポンプによって前記供給源から吸い上げられた潤滑油が流通する潤滑油流路と、
前記潤滑油流路に配置された開閉弁と、をさらに備え、
前記制御装置は、前記開閉弁および前記オイルポンプの少なくともいずれかを制御することによって前記供給油量を制御する、請求項１または請求項２に記載の内燃機関の油供給装置。
【請求項４】
内燃機関の動弁機構に潤滑油を供給する油供給方法であって、
前記動弁機構の動作によって生じる飛沫油量を算出するステップと、
前記飛沫油量が前記動弁機構の潤滑に必要な油量以上である場合、前記動弁機構に潤滑油を滴下する滴下部への潤滑油の供給を停止するステップと、を含む、内燃機関の油供給方法。
【発明の詳細な説明】
【技術分野】
【０００１】
本発明は、内燃機関の油供給装置および油供給方法に関し、特に、内燃機関の動弁機構に潤滑油を供給する油供給装置および油供給方法に関する。
【背景技術】
【０００２】
内燃機関の動弁機構を潤滑する従来の技術として、たとえば、特開２０１４−１０１７６３号公報（特許文献１）には、オイルポンプによってオイルパンから吸い上げた潤滑油をカムシャワーに供給するオイル供給装置が開示されている。
【先行技術文献】
【特許文献】
【０００３】
【特許文献１】特開２０１４−１０１７６３号公報
【発明の概要】
【発明が解決しようとする課題】
【０００４】
ところで、内燃機関の動弁機構は、オイルポンプおよびカムシャワーによって供給される潤滑油により潤滑される他に、動弁機構に供給された潤滑油のうち動弁機構自身の動作によって周囲に飛散する飛沫油が再び動作弁機構に戻ることによっても潤滑され得る。しかしながら、特許文献１に開示されたオイル供給装置においては、飛沫油による動弁機構の自己潤滑について何ら考慮されていないため、動弁機構を適切に潤滑するために必要な量以上の潤滑油が動弁機構に供給されてしまう虞がある。
【０００５】
本発明は、上述した課題を解決するためになされたものであって、その目的は、動弁機構に過剰に潤滑油が供給されることを抑制する内燃機関の油供給装置および油供給方法を提供することである。
【課題を解決するための手段】
【０００６】
この発明のある局面に係る内燃機関の油供給装置は、内燃機関の動弁機構に潤滑油を供給する油供給装置である。この油供給装置は、潤滑油を貯蔵する供給源と、動弁機構に潤滑油を滴下する滴下部と、供給源から吸い上げた潤滑油を滴下部に供給するオイルポンプと、オイルポンプを介した滴下部への潤滑油の供給油量を制御する制御装置と、を備える。制御装置は、動弁機構の動作によって生じる飛沫油量が動弁機構の潤滑に必要な油量以上である場合、オイルポンプを介した滴下部への潤滑油の供給を停止する。
【０００７】
このようにすると、動弁機構の動作によって生じる飛沫油量が動弁機構の潤滑に必要な油量に達した以降、動弁機構に潤滑油を滴下する滴下部への潤滑油の供給油量を削減することができる。よって、動弁機構に過剰に潤滑油が供給されることを抑制することができる。
【０００８】
好ましくは、制御装置は、飛沫油量が動弁機構の潤滑に必要な油量未満である場合、供給油量および飛沫油量の合計量と、動弁機構の潤滑に必要な油量とが等しくなるように、供給油量を制御する。
【０００９】
このようにすると、飛沫油量が動弁機構の潤滑に必要な油量に達する前から、動弁機構の潤滑に必要な油量を超えて動弁機構に潤滑油が供給されることを抑制することができる。
【００１０】
好ましくは、油供給装置は、オイルポンプと滴下部とを接続するとともにオイルポンプによって供給源から吸い上げられた潤滑油が流通する潤滑油流路と、潤滑油流路に配置された開閉弁と、をさらに備える。制御装置は、開閉弁およびオイルポンプの少なくともいずれかを制御することによって供給油量を制御する。
【００１１】
このようにすると、開閉弁およびオイルポンプの少なくともいずれかを制御することによって、動弁機構への潤滑油の供給油量を制御することができる。
【００１２】
この発明のある局面に係る内燃機関の油供給方法は、内燃機関の動弁機構に潤滑油を供給する油供給方法である。この油供給方法は、動弁機構の動作によって生じる飛沫油量を算出するステップと、飛沫油量が動弁機構の潤滑に必要な油量以上である場合、動弁機構に潤滑油を滴下する滴下部への潤滑油の供給を停止するステップと、を含む。
【００１３】
このようにすると、動弁機構の動作によって生じる飛沫油量が動弁機構の潤滑に必要な油量に達した以降、動弁機構に潤滑油を滴下する滴下部への潤滑油の供給油量を削減することができる。よって、動弁機構に過剰に潤滑油が供給されることを抑制することができる。
【図面の簡単な説明】
【００１４】
【図１】油供給装置の概略構成を示す図である。
【図２】油供給装置における一例のエンジン回転数に対する潤滑油の油量を示すグラフである。
【図３】本実施例におけるエンジン回転数に対する潤滑油の油量を示すグラフである。
【図４】ＥＣＵが実行する制御処理を示すフローチャートである。
【図５】変形例におけるエンジン回転数に対する潤滑油の油量を示すグラフである。
【図６】変形例におけるＥＣＵが実行する制御処理を示すフローチャートである。
【図７】変形例におけるチャンバの構造を示す図である。
【発明を実施するための形態】
【００１５】
以下、図面を参照しつつ、本発明の実施の形態について説明する。以下の説明では、同一の部品には同一の符号が付されている。それらの名称および機能も同じである。したがってそれらについての詳細な説明は繰り返さない。
【００１６】
[油供給装置の構成]
図１は、油供給装置１の概略構成を示す図である。油供給装置１は、エンジン５０の動弁機構に潤滑油を供給する。
【００１７】
エンジン５０は、燃焼室（図示省略）に燃料を噴射する燃料噴射弁（図示省略）を有する内燃機関である。エンジン５０の一例としては、ガソリンエンジン、ガスエンジン、およびディーゼルエンジンなどがある。
【００１８】
エンジン５０は、動弁機構として、カムシャフト２と、カム３と、カムジャーナル５と、カムスラスト４と、チェーン７と、を備える。なお、エンジン５０は、これら以外の部材を動弁機構として備えていてもよい。
【００１９】
カムシャフト２は、長尺状の円柱形状を有し、シリンダヘッド９上に複数のカムキャップ６によって支持される。カムシャフト２は、末端に設けられたチェーン７の働きで回転力が与えられることによって周方向に回転する。カム３は、カムシャフト２の軸方向に複数設けられる。カムシャフト２が回転すると、その回転に従ってカム３も周方向に回転する。カム３が回転することにより、カム３に接触するロッカーアーム（図示省略）が駆動して燃焼室（図示省略）の吸排気を行う吸気バルブ（図示省略）および排気バルブ（図示省略）が駆動する。
【００２０】
カムジャーナル５は、カムシャフト２の一部の外周面を覆うように設けられる。カムスラスト４は、カムシャフト２の軸方向においてカムジャーナル５の両端に設けられ、カムジャーナル５をスラスト方向に支持するためのスラスト軸受である。カムシャフト２が回転すると、その回転に従ってカムスラスト４も周方向に回転する。
【００２１】
このように、動弁機構である、カム３、カムシャフト２、カムジャーナル５、カムスラスト４、およびチェーン７は、エンジン５０の駆動中にそれぞれ動作する。
【００２２】
上述した動弁機構は、シリンダヘッド９と、シリンダヘッド９上に覆い被さるように取り付けられるシリンダヘッドカバー１４との間の空間に設けられる。動弁機構の上方には、チャンバ８が設けられる。チャンバ８内を流通する潤滑油は、各カム３の上方に設けられた供給孔８ａを通って各カム３に供給されるとともに、チェーン７の上方に設けられた供給孔８ｂを通ってチェーン７に供給される。このように、チャンバ８は、供給孔８ａおよび供給孔８ｂを介して動弁機構に潤滑油を滴下する。チャンバ８は、「滴下部」の一実施形態に対応する。
【００２３】
エンジン５０は、オイルパン１２と、オイルポンプ１１と、開閉弁１０と、を備える。オイルパン１２は、動弁機構へ供給される潤滑油を貯蔵する。オイルパン１２は、「供給源」の一実施形態に対応する。オイルポンプ１１は、エンジン回転数の上昇による油圧の上昇に従ってオイルパン１２から潤滑油を吸い上げる機械式のポンプである。オイルポンプ１１によってオイルパン１２から吸い上げられた潤滑油は、オイルポンプ１１とチャンバ８とを接続する流路１７に供給される。流路１７は、「潤滑油流路」の一実施形態に対応する。
【００２４】
流路１７には、各部へのオイルギャラリ（図示省略）に通じる供給口１７ａが設けられる。また、流路１７には、カム３、カムシャフト２、カムジャーナル５、カムスラスト４、およびチェーン７などの動弁機構に通じる供給口１７ｂが設けられ、オイルパン１２からの潤滑油が供給口１７ｂを介して動弁機構に供給される。
【００２５】
開閉弁１０は、流路１７におけるチャンバ８の手前に配置され、油供給装置１が備えるＥＣＵ（Electronic  Control  Unit）２０からの弁駆動信号に基づき流路１７を開放または遮断する。ＥＣＵ２０は、「制御装置」の一実施形態に対応する。開閉弁１０が開放（全開）すると、流路１７内を流通する潤滑油がチャンバ８へと流れ込み、供給孔８ａを介して潤滑油がカム３に供給されるとともに、供給孔８ｂを介して潤滑油がチェーン７に供給される。一方、開閉弁１０が閉鎖（全閉）すると、チャンバ８への流路１７が遮断されるため、潤滑油が動弁機構へ供給されない。
【００２６】
エンジン５０は、水温センサ３１と、油温センサ３２と、油圧センサ３３と、エンジン回転数センサ３４と、を備える。水温センサ３１は、エンジン冷却水の温度（以下、エンジン水温とも称する）を検出する。油温センサ３２は、オイルギャラリに流通する潤滑油の温度（以下、油温とも称する）を検出する。油圧センサ３３は、オイルポンプ１１の吐出圧力（以下、油圧とも称する）を検出する。エンジン回転数センサ３４は、エンジン５０の回転数（以下、エンジン回転数とも称する）を検出する。これら各センサによって検出された値を示す信号は、ＥＣＵ２０に入力される。
【００２７】
エンジン５０は、スタータ１３を備える。スタータ１３は、電源１５から供給される電力を用いてピストン（図示省略）を駆動してエンジン５０を始動させる。スタータ１３に流れる電流（以下、スタータ電流とも称する）およびスタータ１３に印可される電圧（以下、スタータ電圧とも称する）の値を示す信号は、ＥＣＵ２０に入力される。電源１５は、スタータ１３に対して駆動電圧（スタータ電圧）を供給するとともに、ＥＣＵ２０に対して駆動電圧（以下、ＥＣＵ電圧とも称する）を供給する。
【００２８】
アクセルペダル１６には、アクセル開度を検出するアクセル開度センサ３５が設けられている。アクセル開度センサ３５によって検出されたアクセル開度を示す信号は、ＥＣＵ２０に入力される。
【００２９】
[油供給装置における一例]
上記のような構成を備える油供給装置１においては、オイルポンプ１１によって吸い上げられた潤滑油が開閉弁１０を介して動弁機構に供給される。ところで、動弁機構は、オイルポンプ１１およびチャンバ８によって供給される潤滑油により潤滑される他に、動弁機構に供給された潤滑油のうち動弁機構自身の動作によって周囲に飛散する飛沫油が再び動弁機構に戻ることによっても自己潤滑され得る。しかしながら、この飛沫油による動弁機構の自己潤滑を考慮することなくオイルポンプ１１からの潤滑油を動弁機構に供給し続けた場合、動弁機構を適切に潤滑するために必要な量以上の潤滑油が動弁機構に供給されてしまう虞がある。
【００３０】
たとえば、図２は、油供給装置における一例のエンジン回転数に対する潤滑油の油量を示すグラフである。図２においては、動弁機構を潤滑するために必要な潤滑油の量（以下、必要油量とも称する）が破線で示され、飛沫油の量（以下、飛沫油量とも称する）が２点鎖線で示され、オイルポンプ１１によって吸い上げられて開閉弁１０およびチャンバ８を介して動弁機構に供給される潤滑油の量（以下、供給油量とも称する）が実線で示され、飛沫油量と供給油量との合計量（以下、合計油量とも称する）が太線で示される。なお、以下に示す図３および図５においても、図２と同様に各油量が示される。
【００３１】
図２に示すように、エンジン回転数がＮ０となるエンジン始動時に開閉弁１０が開放すると、オイルポンプ１１によって必要油量分の供給油量が動弁機構に供給される。エンジン回転数が上昇するにつれて油圧が大きくなるため、供給油量は大きくなる。エンジン回転数がさらに上昇してＮ１になったときには、カム３などの回転速度も大きくなるため、動弁機構の動作によって潤滑油が飛沫し始める。その後、エンジン回転数が上昇するにつれて供給油量とともに飛沫油量は大きくなる。
【００３２】
エンジン回転数がＮ２になったときには、流路１７内の圧力異常を防ぐため、安全弁（図示省略）が開く。これにより、エンジン回転数がＮ２以上においては供給油量の上昇は落ち着くが、依然としてオイルポンプ１１を介したチャンバ８からの潤滑油の供給は継続される。
【００３３】
エンジン回転数がＮ３になったときには、飛沫油量が必要油量に達する。すなわち、飛沫油量のみで必要油量を補うことができる。それにも関わらず、エンジン回転数がＮ３以上においても、オイルポンプ１１を介したチャンバ８からの潤滑油の供給は継続される。これにより、エンジン回転数の上昇に伴って、合計油量は上昇し続ける。
【００３４】
このように、飛沫油による動弁機構の自己潤滑を考慮することなくオイルポンプ１１を介したチャンバ８からの潤滑油を動弁機構に供給し続けた場合、動弁機構を適切に潤滑するために必要な量以上の潤滑油が動弁機構に供給されてしまう。特に、エンジン回転数が高くなればなるほど、供給油量および飛沫油量は大きくなるため、潤滑油の過剰供給が顕著になる。動弁機構への潤滑油の過剰供給は、潤滑油の消耗を促進するばかりでなく、エンジン５０の燃焼行程で生じるブローバイガスに潤滑油のオイルミストが混入し易くなるため、ブローバイガスを吸気系統に戻すための構造（ＰＣＶ）における油きり構造も複雑になる。
【００３５】
そこで、本実施の形態における油供給装置１においては、ＥＣＵ２０の制御によって、動弁機構の動作によって生じる飛沫油量が動弁機構の潤滑に必要な油量以上である場合、オイルポンプ１１を介したチャンバ８への潤滑油の供給が停止される。以下、詳細に説明する。
【００３６】
[本実施例]
図３は、本実施例におけるエンジン回転数に対する潤滑油の油量を示すグラフである。なお、図３においては、エンジン回転数がＮ０〜Ｎ３の期間については、図２に示すグラフと同じであるため、説明を繰り返さない。
【００３７】
図３に示すように、ＥＣＵ２０は、エンジン回転数がＮ３になったときに飛沫油量が必要油量に達すると、弁駆動信号を出力することで開閉弁１０を閉鎖させる。
【００３８】
このように、エンジン回転数がＮ３以上においては、飛沫油量のみで必要油量を補うことができるため、開閉弁１０が閉鎖されることで開閉弁１０およびチャンバ８を介する動弁機構への潤滑油の供給が停止される。これにより、エンジン回転数がＮ３以上においては、斜線で示す分の供給油量を削減することができる。
【００３９】
[ＥＣＵが実行する制御処理]
図４を参照しながら、ＥＣＵ２０が実行する制御処理の内容を説明する。図４は、ＥＣＵが実行する制御処理を示すフローチャートである。なお、図４および後述の図６に示すフローチャートの各ステップ（以下、Ｓと略す）は、基本的にはＥＣＵ２０によるソフトウェア処理によって実現されるが、ＥＣＵ２０内に作製されたハードウェア（電子回路）によって実現されてもよい。
【００４０】
図４に示すように、ＥＣＵ２０は、エンジン５０が始動したか否かを判定する（Ｓ１０）。ＥＣＵ２０は、エンジン５０が始動していない場合（Ｓ１０でＮＯ）、本ルーチンを終了する。一方、ＥＣＵ２０は、エンジン５０が始動した場合（Ｓ１０でＹＥＳ）、弁駆動信号を出力することで開閉弁１０を開放する（Ｓ１１）。
【００４１】
次に、ＥＣＵ２０は、必要油量を取得する（Ｓ１２）。ここで、ＥＣＵ２０は、動弁系ヘルツ応力と、潤滑油動粘度と、を用いて必要油量を取得する。
【００４２】
動弁系ヘルツ応力とは、たとえば、カム３の回転によって、カムシャフト２、ロッカーアーム、スプリング、吸気バルブ、および排気バルブなどに掛かる力である。動弁系ヘルツ応力が大きいと、必要油量は大きくなり、動弁系ヘルツ応力が小さいと、必要油量は小さくなる。
【００４３】
動弁系ヘルツ応力は、エンジン回転数センサ３４によって検出されたエンジン回転数と、アクセル開度センサ３５によって検出されたアクセル開度と、予めＥＣＵ２０に記憶された動弁系仕様と、を用いて取得される。エンジン回転数が大きいと、動弁系ヘルツ応力が小さくなり、エンジン回転数が小さいと、動弁系ヘルツ応力が大きくなる。アクセル開度は、吸気バルブおよび排気バルブなどに掛かる力に関係し、動弁系仕様は、スプリングなどに掛かる力に関係する。なお、動弁系ヘルツ応力は、予め実験によって取得された値が格納されたデータマップを用いて、エンジン回転数とアクセル開度と動弁系仕様とに基づき取得されてもよいし、算出式を用いて、エンジン回転数とアクセル開度と動弁系仕様とに基づき取得されてもよい。
【００４４】
潤滑油動粘度とは、潤滑油の粘度である。潤滑油動粘度が大きいと、動弁機構が潤滑し易くなるため必要油量は小さくなり、潤滑油動粘度が小さいと、必要油量は大きくなる。
【００４５】
潤滑油動粘度は、油温センサ３２によって検出された油温と、予め記憶された潤滑油の仕様と、を用いて取得される。油温が高いと、潤滑油動粘度が小さくなり、油温が低いと、潤滑油動粘度が大きくなる。なお、油温の代わりに、水温センサ３１によって検出されたエンジン水温を用いてもよい。また、潤滑油の仕様は、たとえば、市場で用いられている潤滑油のうち、潤滑油動粘度が最も小さくなる（すなわち、必要油量が最も大きくなる）仕様を用いればよい。なお、潤滑油の仕様は、潤滑油動粘度が最も小さくなるものに限らず、潤滑油動粘度が所定値以下（あるいは、必要油量が所定値以上）となる仕様を用いてもよい。なお、潤滑油動粘度は、予め実験によって取得された値が格納されたデータマップを用いて、油温と潤滑油の仕様とに基づき取得されてもよいし、算出式を用いて、油温と潤滑油の仕様とに基づき取得されてもよい。
【００４６】
次に、ＥＣＵ２０は、飛沫油量を取得する（Ｓ１３）。ＥＣＵ２０は、油圧と、潤滑油動粘度と、エンジン回転数と、を用いて飛沫油量を取得する。
【００４７】
油圧は、油圧センサ３３によって検出された値が用いられてもよいし、油温とエンジン回転数とを用いて取得されてもよい。なお、油温の代わりに、エンジン水温を用いてもよい。油圧が大きいと、飛沫油量は大きくなり、油圧が小さいと、飛沫油量は小さくなる。潤滑油動粘度が大きいと、飛沫油量は小さくなり、潤滑油動粘度が小さいと、飛沫油量は大きくなる。エンジン回転数が大きいと、飛沫油量は大きくなり、エンジン回転数が小さいと、飛沫油量は小さくなる。なお、飛沫油量は、予め実験によって取得された値が格納されたデータマップを用いて、油圧と潤滑油動粘度とエンジン回転数とに基づき取得されてもよいし、算出式を用いて、油圧と潤滑油動粘度とエンジン回転数とに基づき取得されてもよい。
【００４８】
次に、ＥＣＵ２０は、必要油量と飛沫油量とを比較して、飛沫油量が必要油量以上であるか否かを判定する（Ｓ１４）。ＥＣＵ２０は、飛沫油量が必要油量未満である場合（Ｓ１４でＮＯ）、エンジン５０が停止されたか否かを判定し（Ｓ１５）、エンジン５０が停止されていない場合（Ｓ１５でＮＯ）、開閉弁１０を開放状態に維持したままＳ１２の処理に戻る。ＥＣＵ２０は、エンジン５０が停止された場合（Ｓ１５でＹＥＳ）、弁駆動信号を出力することで開閉弁１０を閉鎖し（Ｓ１６）、本ルーチンを終了する。
【００４９】
一方、ＥＣＵ２０は、飛沫油量が必要油量以上である場合（Ｓ１４でＹＥＳ）、弁駆動信号を出力することで開閉弁１０を閉鎖する（Ｓ１７）。これにより、図３に示すように、飛沫油量が必要油量以上である場合（エンジン回転数がＮ３になる時）には開閉弁１０およびチャンバ８を介する動弁機構への潤滑油の供給が停止される。
【００５０】
次に、ＥＣＵ２０は、エンジン５０が停止されたか否かを判定し（Ｓ１８）、エンジン５０が停止されていない場合（Ｓ１８でＮＯ）、Ｓ１２の処理に戻る。その後、ＥＣＵ２０は、飛沫油量が必要油量以上であれば（Ｓ１４でＹＥＳ）、開閉弁１０を閉鎖し続け（Ｓ１７）、飛沫油量が必要油量未満であれば（Ｓ１４でＮＯ）、再び開閉弁１０を開放する（Ｓ１１）。
【００５１】
一方、ＥＣＵ２０は、エンジン５０が停止された場合（Ｓ１８でＹＥＳ）、本ルーチンを終了する。
【００５２】
以上のように、本実施の形態の油供給装置１においては、ＥＣＵ２０による開閉弁１０の制御によって、飛沫油量が必要油量以上である場合、オイルポンプ１１を介したチャンバ８への潤滑油の供給が停止される。これにより、飛沫油量が必要油量に達した以降、オイルポンプ１１を介したチャンバ８への潤滑油の供給油量を削減することができるため、動弁機構に過剰に潤滑油が供給されることを抑制することができる。また、オイルポンプ１１を介したチャンバ８への潤滑油の供給油量を削減することにより、オイルポンプ１１の仕事量も低減することができるため、燃費向上を図ることができる。さらに、ブローバイガスに潤滑油のオイルミストが混入し難くなるため、ＰＣＶにおける油きり構造を複雑にする必要もない。
【００５３】
さらに、図１に示すように、本実施の形態の油供給装置１においては、チャンバ８内にカバー部１８が設けられる。具体的には、カムスラスト４およびカムジャーナル５の上方に設けられた開口部８ｃの上方にカバー部１８が設けられる。カバー部１８は、カムスラスト４の動作によって生じる飛沫油が開口部８ｃを介してブローバイガスに混入することを防ぐとともに、開口部８ｃを通過した飛沫油を再び開口部８ｃを介してカムスラスト４およびカムジャーナル５が位置する方向に案内する。カバー部１８によって案内された飛沫油は、カムジャーナル５を支持するカムキャップ６を介して、再びカムシャフト２内に戻される。このように、カバー部１８で飛沫油を再びカムシャフト２内に戻すことで、飛沫油を用いて動弁機構を効率よく自己潤滑させることができる。
【００５４】
[変形例]
本実施の形態においては、ＥＣＵ２０は、開閉弁１０を全開または全閉させるように制御するものであったが、これに限らない。たとえば、ＥＣＵ２０は、開閉弁１０の開放度合いを調整するように可変制御するものであってもよい。
【００５５】
たとえば、図５は、変形例におけるエンジン回転数に対する潤滑油の油量を示すグラフである。図５に示すように、エンジン回転数がＮ０になるエンジン始動時に開閉弁１０が開放すると、オイルポンプ１１によって必要油量分の供給油量がチャンバ８を介して動弁機構に供給される。このとき、ＥＣＵ２０は、供給油量が必要油量と等しくなるように開閉弁１０の開放度合いを調整する。
【００５６】
エンジン回転数が上昇してＮ１になったときには、動弁機構の動作によって潤滑油が飛散し始める。エンジン回転数が上昇するにつれて飛沫油量は大きくなるため、それに伴って、ＥＣＵ２０は、供給油量と飛沫油量との合計油量が必要油量と等しくなるように開閉弁１０の開放度合いを調整する。つまり、ＥＣＵ２０は、飛沫油量の上昇に伴って、開閉弁１０を徐々に閉鎖して供給油量を減少させる。
【００５７】
エンジン回転数がＮ３になったときには、飛沫油量が必要油量に達するため、ＥＣＵ２０は、開閉弁１０を閉鎖（全閉）させる。
【００５８】
このように、エンジン始動時から飛沫油量を考慮して開閉弁１０が可変制御されることによって供給油量が調整されるため、斜線で示す分の供給油量を削減することができる。
【００５９】
図６を参照しながら、変形例におけるＥＣＵ２０が実行する制御処理の内容を説明する。図６は、変形例におけるＥＣＵが実行する制御処理を示すフローチャートである。なお、図６に示すＳ１０〜Ｓ１６の処理は、図４に示すＳ１０〜Ｓ１６の処理と同じであるため、説明を繰り返さない。変形例におけるＥＣＵ２０は、Ｓ１０〜Ｓ１６の処理に加えて、さらに、Ｓ１７の処理を実行する。
【００６０】
具体的には、ＥＣＵ２０は、飛沫油量が必要油量未満であり（Ｓ１４でＮＯ）、かつエンジン５０が停止されていない場合（Ｓ１５でＮＯ）、供給油量と飛沫油量との合計油量が必要油量と等しくなるように開閉弁１０の開放度合いを調整する。その後、ＥＣＵ２０は、開閉弁１０の開放度合いを調整後の開放度合いに維持したままＳ１２の処理に戻る。
【００６１】
このように、変形例の油供給装置１においては、ＥＣＵ２０による開閉弁１０の可変制御によって、飛沫油量が必要油量未満である場合、供給油量および飛沫油量の合計量と必要油量とが等しくなるように、供給油量が制御される。これにより、飛沫油量が必要油量に達する前から、必要油量を超えて動弁機構に潤滑油が供給されることを抑制することができる。
【００６２】
なお、ＥＣＵ２０は、供給油量と飛沫油量との合計油量が必要油量と等しくなるように供給油量を制御するものに限らず、合計油量と必要油量との差が所定範囲内になるように供給油量を制御するものであってもよい。
【００６３】
さらに、変形例の油供給装置１においては、図７に示すような構造を有するチャンバ８０を備えてもよい。図７は、変形例におけるチャンバ８０の構造を示す図であり、カムジャーナル５およびチャンバ８０の断面図である。
【００６４】
図７に示すように、チャンバ８０は、カムジャーナル５などの動作によって生じる飛沫油が衝突するとともに衝突した飛沫油を屋根伝いに案内する屋根部８０ａ，８０ｂと、屋根部８０ａ，８０ｂによって案内された飛沫油を溜める貯留部８０ｃ，８０ｄと、を備える。貯留部８０ｃ，８０ｄに溜められた飛沫油は、カムシャフト２の軸方向に案内され、やがて供給孔８ａを介して動弁機構に供給される。このように、チャンバ８０のような構造を採用すると、飛沫油を用いて動弁機構を効率よく潤滑することができる。
【００６５】
上述したように、ＥＣＵ２０は、飛沫油量を考慮して、開閉弁１０のみを開放または閉鎖し、あるいは開放度合いを調整し、それによって供給油量を制御していたが、これに限らない。たとえば、ＥＣＵ２０は、飛沫油量を考慮して、開閉弁１０に加えてオイルポンプ１１の供給量も制御してもよい。また、ＥＣＵ２０は、飛沫油量を考慮して、オイルポンプ１１のみを制御して供給油量を制御してもよい。この場合、油供給装置１は、開閉弁１０を備えていなくてもよい。すなわち、ＥＣＵ２０は、開閉弁１０およびオイルポンプ１１の少なくともいずれかを制御することによって供給油量を制御すればよい。なお、本実施の形態においては、開閉弁１０およびオイルポンプ１１は機械的に開閉制御されるが、これに代えて、開閉弁１０およびオイルポンプ１１を電気的に開閉制御してもよい。
【００６６】
また、開閉弁１０は、オイルポンプ１１と、供給口１７ａとの間の流路１７に設けられてもよい。このようにすれば、飛沫油量を考慮して開閉弁１０を閉鎖したときには、動弁機構に繋がる全ての潤滑油の供給を停止することができる。
【００６７】
本実施の形態においては、潤滑油動粘度の取得時に潤滑油の仕様を用いる際、市場で用いられている潤滑油のうち、潤滑油動粘度が最も小さくなる（すなわち、必要油量が最も大きくなる）仕様を用いていたが、これに限らない。
【００６８】
たとえば、ＥＣＵ２０は、潤滑油動粘度の初期値としては、潤滑油動粘度が最も小さくなる潤滑油の仕様を用いてもよい。そして、ＥＣＵ２０は、クランキング時のエンジン回転数（以下、クランキング回転数とも称する）に対する潤滑油動粘度が格納されたデータマップを予め記憶しておき、エンジン始動時のクランキング回転数を、スタータ電流、スタータ電圧、あるいはＥＣＵ電圧を用いて補正することで、標準バッテリ状態でのクランキング回転数を推定してもよい。そして、ＥＣＵ２０は、データマップを用いて標準バッテリ状態でのクランキング回転数に基づき潤滑油動粘度を推定し、初期値を書き換えてもよい。このように、ＥＣＵ２０は、ＥＣＵ電圧などを用いて潤滑油動粘度を推定してもよい。この場合、油温センサ３２を設ける必要がなくなり、コストを削減することができる。
【００６９】
本実施の形態においては、カバー部１８は、カムスラスト４およびカムジャーナル５が配置された上方に設けられていたが、各カム３の上方に設けられていてもよい。このようにすれば、各カム３の動作によって生じた飛沫油を再び各カム３に戻すことができる。
【００７０】
なお、上述した本実施の形態およびその変形例については、適宜組合せることも可能である。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
１  油供給装置、２  カムシャフト、３  カム、４  カムスラスト、５  カムジャーナル、６  カムキャップ、７  チェーン、８  チャンバ、８ａ，８ｂ  供給孔、８ｃ  開口部、９  シリンダ、１０  開閉弁、１１  オイルポンプ、１２  オイルパン、１３  スタータ、１４  シリンダヘッド、１５  電源、１６  アクセルペダル、１７  流路、１７ａ，１７ｂ  供給口、１８  カバー部、２０  ＥＣＵ、３１  水温センサ、３２  油温センサ、３３  油圧センサ、３４  エンジン回転数センサ、３５  アクセル開度センサ。
【図１】
0006583112.tif 000002
【図２】
0006583112.tif 000003
【図３】
0006583112.tif 000004
【図４】
0006583112.tif 000005
【図５】
0006583112.tif 000006
【図６】
0006583112.tif 000007
【図７】
0006583112.tif 000008